(57)【要約】      （修正有）【課題】ベルトロール定着器の出口において、用紙が定着部材に貼りついたり、ベルトに再接触して光沢不良を生じることの無い用紙剥離装置を提供する。【解決手段】内部圧力ロール４２０はベルト４４３を介して外部圧力ロール４１０に係合して、定着ニップを形成する。内部圧力ロールには、装着プレート４６０が取り付けられて、内部圧力ロールの回転軸の周りを装着プレートが移動することを可能にする内部圧力ロールベアリング４６２を含む。剥離部材は装着プレートに取り付けられ、付勢部材４６７により外部圧力ロールの方へベルトを押し込むように構成される。装着プレートスキー４６５は、外部圧力ロールベアリング４１１に接触し、装着プレートの移動を制限して、剥離部材を位置決めする。【選択図】図４
2013152464.tif 000002
【特許請求の範囲】
【請求項１】
ベルトロール定着器の剥離装置であって、
剥離シューを装着するプレートであって、内部圧力ロールに移動可能に接続するように構成された装着プレートと、
定着器ベルトからシートを剥離するシューであって、前記装着プレートに取り付けられた剥離シューと、を含む、装置。
【請求項２】
内部圧力ロールと、
前記内部圧力ロールに取り付けられた内部圧力ロールベアリングであって、前記装着プレートは前記内部圧力ロールベアリングに取り付けられ、それによって前記装着プレートは前記内部圧力ロールに移動可能に接続された内部圧力ロールベアリングと、を含む、請求項１に記載の装置。
【請求項３】
少なくとも前記内部圧力ロールによって引き込まれた定着器ベルトであって、内部圧力ロール接触面およびシート接触面を有し、前記剥離シューの周囲を包み、それによって前記剥離シューは前記定着器ベルトの前記ロール接触面に接触して前記定着器ベルトの角度をつける定着器ベルトを含む、請求項１に記載の装置。
【請求項４】
前記内部圧力ロールは、適合する表面をさらに含む、請求項２に記載の装置。
【請求項５】
前記内部圧力ロールは、ゴムを含む軟らかい表面をさらに含む、請求項２に記載の装置。
【請求項６】
前記内部圧力ロールの回転軸の周りを前記装着プレートが回転することを可能にするように構成された前記内部圧力ロールベアリングを含む、請求項３に記載の装置。
【請求項７】
前記剥離シューによって前記定着器ベルトに加えられた力は、前記内部圧力ロールベアリングの周りに前記装着プレートを移動させることによって調整することができる、請求項６に記載の装置。
【請求項８】
前記内部圧力ロールの回転軸の周りを前記装着器プレートが回転することを制限するように構成された装着プレートスキーを含む、請求項６に記載の装置。
【請求項９】
前記装着プレートに取り付けられた前記装着プレートスキーを含む、請求項８に記載の装置。
【請求項１０】
前記装着プレートの移動を制限しそれによって前記剥離シューは自動的に位置決めされて、前記定着器ベルトの前記ロール接触面に所望の圧力を加えることができるように構成された前記装着プレートスキーを含む、請求項８に記載の装置。
【発明の詳細な説明】
【技術分野】
【０００１】
本明細書は、ベルトロール定着器の剥離用装置およびシステムに関する。詳細には、本明細書は、ベルトロール定着器システムに用いる自己位置決め剥離装置およびシステムに関する。
【背景技術】
【０００２】
従来技術のベルトロール定着器は、硬い内部圧力ロールおよび軟らかい外部圧力ロールを含む。内部圧力ロール、すなわち定着器ロール、および外部圧力ロール、すなわち圧力ロールは、いっしょに定着ニップを形成して、トナーなどのマーキング材料を、シートが転写ステーションからトナーを受けた後でシートに定着することができる。定着器ベルトは、定着器ベルトにも接触する、内部ロールおよび３つの熱ロールによって引き込まれて、ニップの中を延びることができる。
【発明の概要】
【発明が解決しようとする課題】
【０００３】
印刷工程中にニップにおいて定着された紙シートは、ニップの中を通過した後で定着ベルトに貼り付くことがある。典型的には、定着ベルトからシートを剥離するために剥離シューが実装される。この剥離シューは、５ｍｍを下回る剥離半径を有することができる。定着ベルトは、剥離シューの周囲を巻き付けてベルト内に曲げをもたらし、そのベルトにおいて処理中に用紙がベルト表面から離れる。従来技術の定着ニップは、「再貼り付き」などの画像品質不良、「つらら」状などの光沢不良を引き起こす。
【課題を解決するための手段】
【０００４】
従来技術の剥離シュー構成は、制御するのが困難である。自己位置決め剥離装置およびシステムは、例えば、軟らかい表面を有する内部圧力ロール、および硬い表面を有する外部圧力ロールを含むことによって、軟らかい外部ロール構成に対する剥離シューを除去することができる。例えば剥離バーは、硬い外部圧力ロールに接近した動作位置内に、剥離バーを自動的に位置決めするための回転プレートシステムに、装着することができる。
【０００５】
一実施形態では、ベルトロール定着器の剥離装置は、剥離シューを装着するプレートであって、内部圧力ロールに移動可能に接続するように構成された装着プレートと、定着器ベルトからシートを剥離するシューであって、装着プレートに取り付けられた剥離シューとを含むことができる。一実施形態では、装置は、内部圧力ロールと、内部圧力ロールに取り付けられた内部圧力ロールベアリングであって、装着プレートは内部圧力ロールベアリングに取り付けられ、それによって装着プレートは内部圧力ロールに移動可能に接続された内部圧力ロールベアリングとを含むことができる。
【図面の簡単な説明】
【０００６】
【図１】図１は、従来技術のニップ外形およびシート剥離構成を実装するベルトロール定着器の、内部圧力ロールと外部圧力ロールを係合した、従来技術のベルトロール定着器システムの図式的側面図を示す。
【図２Ａ】図２Ａは、従来技術のベルトロール定着器システム内にある従来技術のニップ外形の図式的側面図を示す。
【図２Ｂ】図２Ｂは、従来技術のベルトロール定着器システムの従来技術のニップの剥離半径の展開図である。
【図３】図３は、典型的な実施形態による自己位置決めベルトロール定着器の剥離システムを示す。
【図４】図４は、典型的な実施形態による自己位置決めベルトロール定着器の剥離システムを示す。
【図５】図５は、典型的な実施形態による自己位置決めベルトロール定着器の剥離システムを示す。
【発明を実施するための形態】
【０００７】
実施形態の装置およびシステムは、紙シートなどの基板上に画像を印刷するシステムを含むことができる。印刷工程は、熱および圧力を用いてトナーなどのマーキング材料をシートに定着する定着ステップを含む。典型的な基板は、ロール紙などのロール紙媒体を含むことができる。代替策として、このシステムは、ベルトロール定着器の固定定着ニップまたは溶融定着ニップにカットシートを供給するように構成することができる。
【０００８】
従来技術のベルトロール定着器システムが図１に示される。具体的には、図１は、ベルトロール定着器システム１００を示す。ベルトロール定着器システム１００は、ベルトロール定着装置１０１を含むことができる。ベルトロール定着器装置１０１は、ベルトロール定着器システム１００の主要フレーム部分１０２へラッチ（ベルトによる係合）をかけ、主要フレーム部分１０２からのラッチをはずすように構成することができる。ベルトロール定着器の主要フレーム１０２は外部圧力部材１１０を含むことができ、ベルトロール定着器モジュール１０１は内部圧力部材１２０を含むことができる。ベルトロール定着モジュールがラッチをかけられた位置にあるとき、すなわちベルトロール定着器装置１０１が主要フレーム１０２へラッチをかけられるとき、内部圧力部材１２０は、外部圧力部材１１０と係合されて定着ニップを定義することができる。ベルトロール定着器装置１０１が主要フレーム１０２からのラッチをはずされると、ベルトロール定着器装置１０１は主要フレーム１０２から切り離すことができ、それによって例えばベルトロール定着器システム１００の部品を修理しまたは差し換えるためにアクセスする機会を調節することができる。
【０００９】
外部圧力部材１１０は、着脱可能であってよい。したがって、ベルト定着器装置１０１が、ベルトロール定着器の主要フレーム１０２から切り離されると、外部圧力部材１１０にアクセスして、クリーニングしおよび／または修理することができる。例えば、外部圧力部材１１０は、顧客側で差し換え可能であってよい。
【００１０】
外部圧力部材１１０は、圧力ロール冷却システムと関連付けることができる。例えば、図１は、外部圧力部材１１０の下方に位置決めされた圧力ロール冷却システム１１７を示す。圧力部材監視デバイス１１９が含まれ、圧力部材１１０を監視するように構成することができる。例えば、監視デバイス１１９は、接触型サーミスタなどのサーミスタであってよい。
【００１１】
図１に示されるように、内部圧力部材１２０は、外部圧力部材１１０と係合して定着ニップを形成することができる。ベルトロール装置１０１がベルトロール定着器システム１００の主要フレーム１０２にラッチをかけられると、定着ニップを形成することができる。
【００１２】
ベルトロール定着器装置１０１は、複数のベルト部材を含むことができる。ベルト部材は、示されるように、軸、例えば縦軸の出入り、の周りに回転可能であり定着器ベルトの移動を容易にするロールであってよい。ベルト部材は、ベルトが複数のベルト部材および内部圧力部材の周りに移動しながら、ベルトを支持し、クリーニングし、および／または操縦することができる。例えば、図１は、内部圧力部材１２０を含むベルトロール装置１０１を示し、ベルトロール装置１０１は、内部圧力部材１２０をベルトロール主要フレーム１０２の外部圧力部材１１０と係合するように位置決めされる。図１に示された内部圧力部材１２０は、縦軸、例えば中心縦軸１２１、の周りに回転可能な円筒部材である。
【００１３】
ベルトロールモジュール１０１は、ベルトロールモジュール１０１が内部圧力部材１２０をベルト定着器システム１００の主要フレームの外部圧力部材１１０と係合するように位置決めされるとき、内部圧力部材１２０がクリーナ部材１２７と外部圧力部材１１０の間に介在するように位置決めされたクリーナ部材１２７を含むことができる。クリーナ部材１２７は、ベルトの支持および移動を容易にする回転可能な部材とすることができる。例えば、クリーナ部材１２７は、中心縦軸の周りに回転可能な、円筒ロールなどのロールとすることができる。クリーナロール１２７は、例えばロール紙クリーニングシステムまたはベルト・クリーニング・システムと関連付けることができる。ロール紙クリーニングシステムは、ベルトロール定着器システムのロール紙またはベルトのクリーニングを容易にする複数の部材を含むことができる。ロール紙クリーニングシステムは、顧客側で差し換え可能とすることができ、例えばベルトロール定着モジュール１０１のラッチをかけるおよびラッチをはずす操作によって容易にされる。内部圧力部材１２０は、計量システムと関連付けることができる。計量システムは、媒体ロールなどの１つ以上の計量部材を含むことができる。
【００１４】
図１のベルトロール定着器装置１０１は、ベルト部材１３０を含むことができる。ベルト部材１３０は、回転可能とすることができる。例えば、ベルト部材１３０は、中心縦軸の周りに回転可能な、円筒ロールなどのロールとすることができる。ベルトロールモジュール１３０は、張力部材１３３を含むことができる。張力部材１３３は、中心縦軸の周りに回転可能な、円筒ロールなどのロールとすることができる。張力部材１３３は、ベルト張力調整器と関連付けることができる。張力部材１３３は、ベルトのトラッキング動作および操縦を調節するように構成することができる。クリーナ部材１２７、ベルト部材１３０、および張力部材１３３は、それぞれ加熱することができる。例えば、張力部材１３３は、加熱エレメント１３５を含むことができる。ベルトロールモジュール１０１の１つ以上の部材は、種々の監視デバイス１４０によって監視することができる。例えば、監視デバイスは、接触型サーミスタなどのサーミスタとすることができる。
【００１５】
内部圧力部材１２０、クリーナ部材１２７、ベルト部材１３０、および張力部材１３３は、それぞれベルト１４３を引き込むように構成することができる。ベルト１４３は、回転可能部材の周りに移動することができ、加熱引き込み回転可能部材またはロールから熱を吸収することができる。ベルト１４３は、差し換え可能とすることができる。例えば、ベルト定着器装置１０１は、ベルトロール定着器モジュール１０２の部品にアクセスする機会を調節するように位置決めされ、それによって例えばベルト１４３をユーザ側で差し換えることを可能にすることができる。ベルトサーミスタ（図示せず）は、ベルト１４３の周りに配置することができる。
【００１６】
ベルト１４３は、例えばベルトロール装置１０１が主要フレーム１０２へラッチをかけられると、ベルトロール装置１０１の内部圧力部材１２０および外部圧力部材１１０によって定義されたニップの中を通過することができる。定着後処理部品は、ニップの周りに、具体的にはニップの出口の周りに位置することができる。例えば、エアーナイフ１４５は、ニップ出口にあるとすることができる。剥離シュー１４７もまた、ベルトを剥離角で曲げるために内部圧力ロール１２０とベルト１４３の間に介在して、シートがベルトから剥離することができるニップ出口において、ベルト１４３のかどを形成するように構成することができる。ベルト１４３は、剥離シュー１４７のかどの周囲に巻き付けることができ、このポイントで用紙は、剥離シュー１４７のかどを超えて工程方向に延びるベルトの表面から離れることができる。
【００１７】
出口センサ１５０は、定着ニップの出口に位置決めすることができる。定着画像を有する基板は、基板が定着ニップを抜け出た後、定着後搬送システム１５５によって運ぶことができる。
【００１８】
図２Ａは、図１に示されたタイプのベルトロール定着器構成によって形成された従来技術のニップ外形の図式的側面図を示す。図２Ａは、外部圧力ロール２１０、および内部圧力ロールまたは定着器ロール２２０によって形成された、３つのゾーンニップ（ゾーンＮ１（ニップ入口）、Ｎ２、およびＮ３（ニップ出口））を示す。定着器ベルト２４３は、ニップの出口において、例えば図２に示されるようにゾーンＮ３において、剥離シュー２４７のかどの周囲を巻き付けるように構成される。図２Ｂは、剥離半径Ｒを形成するために剥離シュー２４７のかどに巻き付けられた定着器ベルト２４３を示す。
【００１９】
従来技術のニップ外形のゾーンは、Ｎ１、Ｎ２およびＮ３を含み、Ｎ１は、高圧力ニップゾーン（例えば、約６０ｐｓｉ〜約８０ｐｓｉ）であり、Ｎ２は、定着器ベルト２４３が方向を変化させて、例えば定着ロール２２０から離れる方向に案内されるゾーンである、低圧力ニップゾーン（例えば、約６ｐｓｉ〜約１０ｐｓｉ）であり、Ｎ３は、実質的に外部圧力ロール２１０のそばに定着器ベルト２４３があり、外部圧力ロール２１０からのベルト２４３が剥離シュー２４７の先端半径に対して接しているゾーンである、ニップゾーン（例えば、０ｐｓｉ）である。
【００２０】
ニップゾーンＮ２およびＮ３において、画像品質不良が典型的となる。例えば、図２Ｓに示されるように、シートがゾーンＮ２においてニップの中を進むにつれて、シートの曲がり方向が変化することにより、画像不良が引き起こされる可能性がある。さらに、シートの先頭エッジがニップゾーンＮ２の中を進むにつれて、特にシートが重い重量のシートの場合には、ゾーンＮ２では典型的には単なるベルト圧力が例えば約６から約１０ｐｓｉの圧力で外部圧力ロール２１０の方へシートに力を働かせるだけであり、シートは、外部圧力部材２１０に適合しない可能性がある。シートのはり強度が原因で、シートは、定着中にベルト表面から離れて、次いではり強度が増大するにつれてベルト表面に再度接することがある。これにより、つらら状を含む光沢不良が引き起こされる。このような不良を回避するために、Ｎ２ニップゾーンを特定の長さに短縮すると、剥離機能性が妨げられることがある。
【００２１】
シートがＮ３ニップゾーンの中を進むにつれて、シートは、画像化濃度および画像配置に依存して、ベルト２４３および／または外部圧力ロール２１０に貼り付くことがある。シートは、ベルト２４３を切り離した後で再度接して、「再貼り付き」などの画像不良を引き起こす。
【００２２】
効果的な剥離を確実にするために、剥離角を増加させて、ベルトが剥離シューの周囲を巻き付ける角度を増加させることが望ましい。剥離シューは、シューが外部圧力ロールに接触しないように、外部圧力ロールにダメージを与えないように、位置決めしなければならない。したがって、外部圧力ロールの中心線の変動は、効果的な剥離角を制限する原因となるにちがいない。したがって、シートの先頭エッジが、ゾーンＮ３を通り過ぎて剥離シュー２４７に達した後までには、ベルト定着器の部品から剥離される前に、シートは、Ｎ２において硬いニップを離れる。
【００２３】
図３は、一実施形態による自己剥離ベルトロール定着器システムを示す。図３に示された自己剥離ベルトロール定着器システムは、ロール３１０などの外部圧力部材を含む。このシステムは、外部圧力ロール３１０とともに定着ニップを定義するベルトロール装置を含むことができる。外部圧力ロールの表面は、金属またはセラミックなどの硬い材料を含む硬い表面とすることができる。硬い表面は、剥離シューによって引き起こされる、外部ロールへのダメージを防止することができる。
【００２４】
ベルトロール定着器装置は、内部圧力ロール３２０を含むことができる。内部圧力ロールまたは定着ロール３２０は、定着器ベルト３４３を引き込むことができる。内部圧力ロール３２０は、軟らかい表面を含むことができ、例えばゴムで形成することができる。ベルト３４３は、ポリイミドバイトンで形成することができる。ベルト３４３および圧力ロール３２２は、外部圧力ロール３１０と動作可能に係合されると、複合の定着ニップを形成するように構成することができ、内部圧力ロール３２０は、外部圧力ロール３１０に接触して定着ニップを形成する。
【００２５】
剥離シュー３４６は、ベルト３４３に対して外部圧力ロール３１０の方へ力を加えるように構成することができる。剥離シュー３４６は、例えば金属バーを形成することができる。ベルトが剥離シューの周囲を巻き付ける角度は、図２に示された剥離角よりも大きい。さらに、剥離シュー３４７は、外部圧力ロール３１０により接近して位置決めされて、図２のＮ３ゾーンと比較するとＮ３ゾーンを最小化し、図２のニップ出口よりもニップ出口３４４が剥離シューにより接近した状態にし、それによって画像品質不良の可能性を低減する。
【００２６】
剥離シューは、回転プレートシステム上に装着することができる。回転プレートシステムは、内部圧力ロール３２０に取り付けられたベアリング上に装着することができる。バネ力は、図２に関して時計回りの方向に、ニップの内部へ向けておよびニップの方へ、回転システムを付勢するために実装することができる。例えば、バネは、システムフレームおよび回転システムに取り付けることができる。
【００２７】
図４は、ベルト定着システムに用いる自己位置決め剥離システムを示す。図４は、外部圧力ロール４１０を示す。外部圧力ロール４１０は、硬い表面を含むことができる。外部圧力ロール４１０は、内部圧力ロールに取り付けられた外部圧力ロールベアリング４１１を含むことができる。
【００２８】
図４は、内部圧力ロール４１０、内部圧力ロール４２０によって引き込まれる定着器ベルト４４３、剥離シュー装着プレート４６０、内部圧力ロールベアリング４６２、スキー４６５、および付勢システム４６７を示す。内部圧力ロール４２０は、内部圧力ロール４２０に取り付けられた内部圧力ロールベアリング４６２を含むことができる。装着プレート４６０は、内部圧力ロールベアリング４６２に取り付けることができる。スキー４６５は、装着プレート４６０に取り付けることができる。
【００２９】
内部圧力ロール４２０が外部圧力ロール４１０と係合されて定着ニップを形成すると、装着プレート４６０、内部圧力ロールベアリング４６２、および外部圧力ロールベアリング４１１は、装着プレートに取り付けられたスキー４６５が外部圧力ロールベアリング４１１に接触するように構成することができる。例えば、スキー４６５は、外部圧力ロールベアリング４１１とスライド可能に接触するように組み立てられ、構成されて、装着プレートが外部圧力ロール４１０の位置をトラッキングすることを可能にし、プレート４６０に取り付けられた剥離シューがシューと外部圧力ロール４１０の表面との所望の間隔を超えて延びることを防止することができる。
【００３０】
装着プレート４６０は、内部圧力ロール４２０の片側または両側に含むことができる。同様に、内部圧力ベアリング４６２、外部圧力ロールベアリング４１１、およびスキー４６５は、内部圧力ロールおよび外部圧力ロールの片側または両側に構成することができる。
【００３１】
付勢システム４６７は、例えば、ベルトロール定着器装置のフレームに取り付けられたバネを含むことができる。バネ４６７は、装着プレート４６０を付勢するように構成することができ、装着プレート４６０は、ニップの方へスキー４６５が外部圧力ロール４１１に対して押し込まれるように、内部圧力ロールベアリング４６２に回転可能に取り付けることができる。したがって、シューは、ベルト４４３に対して押し込まれて、外部圧力ロール４１０から所望の間隔に位置決めすることができる。
【００３２】
外部圧力ロール４１０が内部圧力ロール４２０に係合するように持ち上げられて印刷動作用に定着ニップを形成するので、外部圧力ロールベアリング４１１の外径は、スキー４６５に係合して、外部圧力ロール４１０がニップを形成するために方向「Ｃ」への移動を終えるまで、方向「Ｂ」へ力を加えることによって、プレートを方向「Ａ」へ反時計回りに回転させるように構成することができる。本構成は、外部圧力ロール４１０に関して剥離シューの先端の自己配置または自動位置を調節する。プレートシステムが外部圧力ロールベアリング４１１を経由して外部圧力ロールの位置をトラッキングするので、内部圧力ロール４２０および外部圧力ロール４１０の回転軸中心線の位置の変動は、外部圧力ロール４１０の表面に対する剥離シューの位置にほとんど影響を与えないことになる。
【００３３】
図５は、一実施形態によるベルトロール定着器システム内にある自己位置決め剥離システムの図式的断面側面図を示す。図５は、ベルト定着システムに用いる自己位置決め剥離システムを示す。図５は、外部圧力ロール５１０を示す。外部圧力ロール５１０は、硬い表面を含むことができる。外部圧力ロール５１０は、外部圧力ロール５１０に取り付けられた外部圧力ロールベアリング５１１を含むことができる。
【００３４】
図５は、内部圧力ロール５２０、内部圧力ロール５２０によって引き込まれる定着器ベルト５４３、剥離シュー装着プレート５６０、内部圧力ロールベアリング５６２、スキー、および付勢システム５６７を示す。内部圧力ロール５２０は、内部圧力ロール５２０に取り付けられた内部圧力ロールベアリング４６２を含むことができる。装着プレート５６０は、内部圧力ロールベアリング５６２に取り付けることができる。スキーは、装着プレート５６０に取り付けることができる。
【００３５】
内部圧力ロール５２０が外部圧力ロール５１０と係合されて定着ニップを形成すると、装着プレート５６０、内部圧力ロールベアリング５６２、および外部圧力ロールベアリング５１１は、装着プレートに取り付けられたスキーが外部圧力ロールベアリング５１１に接触するように構成することができる。例えば、スキーは、外部圧力ロールベアリング５１１と接触するように組み立てられ、構成されて、装着プレートが外部圧力ロール５１０の位置をトラッキングすることを可能にし、プレート５６０に取り付けられた剥離シューがシューと外部圧力ロール５１０の表面との所望の間隔を超えて延びることを防止し、装着プレート５６０は外部圧力ロール５１０の方へ付勢することができる。装着プレート５６０は、内部圧力ロール５２０の片側または両側に含むことができる。同様に、内部圧力ベアリング５６２、外部圧力ロールベアリング５１１、およびスキーは、内部圧力ロールおよび外部圧力ロールの片側または両側に構成することができる。
【００３６】
剥離シュー５４７は、装着プレート５６０に取り付けることができる。２つの装着プレートを有する一実施形態では、剥離シュー５４７は、両方の装着プレートに取り付けることができ、剥離シュー組立品の各面に１つの装着プレートが取り付けられる。１つ以上の装着プレート５６０に装着された剥離シュー５４７は、定着器ベルト５４７に力を加えて、定着ニップに存在するシートが定着器ベルト５４３から離れるポイントに対応する、剥離シュー５４７の先端またはかどの周囲を、ベルト５４７が巻き付けるように構成することができる。１つ以上の装着プレート５６０に装着された剥離シュー５４７は、ベルト５４３に力を加えて、シートにはどんな圧力も加えられないまたは単なるベルト張力が加えられるニップ出口において、低圧力ゾーンを最小化するように構成することができる。
【００３７】
装着プレート５６０は、内部圧力ロールベアリング５６２の周りを、時計回りおよび反時計回りの両方向に回転可能なように構成することができる。装着プレート５６０は、ベルト定着システム内で反時計回りに回転して、剥離用突起部を外部圧力ロールから離れる方へ移動させることができ、それによって剥離シュー５４７よりも小さい力を加えることが、例えば図５に示された構成内のベルト５４３に適用されることになる。そういうわけで、定着ニップの長さは、装着プレート５６０を回転させることによって高圧力ニップゾーンだけを含むように短縮されて、外部圧力ロール５１０から離れる方向に剥離シュー５４７を移動させることができる。このような構成は、例えば、剥離シューの支援なしに定着を可能にするはり強度を有する、より重い重量の紙シートを含む印刷ジョブ用に実装することができ、そうでない場合、画像不良および／または光沢不良の可能性を増大させることになる。
【００３８】
付勢システム５６７は、例えば、ベルトロール定着器装置のフレームに取り付けられたバネを含むことができる。バネ５６７は、装着プレート５６０を付勢するように構成することができ、ニップの方へスキーが外部圧力ロール５１１に対して押し込まれるように、内部圧力ロールベアリング５６２に取り付けることができる。したがって、シューは、ベルト５４３に対して押し込まれ、シュー５４７は外部圧力ロール５１０から所望の間隔で位置決めすることができる。
【００３９】
外部圧力ロール５１０が内部圧力ロール５２０に係合するように持ち上げられて印刷動作用に定着ニップを形成するので、外部圧力ロールベアリング５１１の外径は、スキーに係合して、外部圧力ロール５１０がニップを形成するために移動を終えるまで、第２の方向へ力を加えることによって、プレートを第１の方向へ反時計回りに回転させるように構成することができる。本構成は、外部圧力ロール５１０に関して剥離シュー５４７の先端の自己配置または自動位置を調節する。プレートシステムが外部圧力ロールベアリング５１１を経由して外部圧力ロールの位置をトラッキングするので、内部圧力ロール５２０および外部圧力ロール５１０の回転軸中心線の位置の変動は、外部圧力ロール５１０の表面に対する剥離シュー５４７の位置にほとんど影響を与えないことになる。
【図１】
2013152464.tif 000003
【図２Ａ】
2013152464.tif 000004
【図２Ｂ】
2013152464.tif 000005
【図３】
2013152464.tif 000006
【図４】
2013152464.tif 000007
【図５】
2013152464.tif 000008